(57)【特許請求の範囲】
【請求項１】
冷蔵庫であって、
貯蔵空間を形成するキャビネットと、
前記貯蔵空間を開閉するドアと、
前記キャビネットの上面で前記ドアによって前面が遮蔽され、キッチン空間の空気を吸入して有害ガスをフィルタリングした後排出する空気浄化装置と、を含み、
前記空気浄化装置は、
前記キャビネットの上面に備えられ、前記ドアの上端より低い前面高さを有するケースと、
前記ケースの上面の周りに沿って傾斜するように形成される傾斜部と、
前記ケースの両側の前記傾斜部に形成され、室内空気が吸入される吸入口と、
前記ケースの前面の前記傾斜部に形成され、浄化された空気が吐出される吐出口と、
前記ケースの内部に備えられ、空気の流動を強制するファンモータアセンブリと、
前記吸入口と前記ファンモータアセンブリとの間を区画するように前記ケース内部に装着され、吸入される空気を浄化するフィルタアセンブリと、
前記ケースの内部の両側端に形成され、前記フィルタアセンブリ側から前記吸入口まで延長され、前記吸入口から吸入される空気が前記フィルタアセンブリへ向かうようにするサイド吸入ガイドと、
前記ケースの内側面の底面から前記吐出口の下端まで延長され、前記ファンモータアセンブリによって送風される空気が前記吐出口に向かうように案内するフロント吐出ガイドと、
前記ファンモータアセンブリの駆動を制御する制御部と、
前記制御部と連結され、前記キッチン空間の有害ガスを感知するガスセンサと、を含み、
前記制御部は、前記ガスセンサの感知によって前記ファンモータアセンブリの運転を制御することを特徴とする、冷蔵庫。
【請求項２】
前記ケースには、前方に開口されたフィルタ装着口が形成され、
前記フィルタ装着口は、前記ケースの内側にスライディング引出・引入される前記フィルタアセンブリによって遮蔽されることを特徴とする、請求項１に記載の冷蔵庫。
【請求項３】
前記フィルタアセンブリは、
多数のフィルタが相互結合されて形成されるフィルタモジュールと、
結合された状態の前記フィルタモジュールを収容し、前記ケースの内側に引出・引入可能に提供されるフィルタケースとを含むことを特徴とする、請求項１又は２に記載の冷蔵庫。
【請求項４】
前記フィルタケースは、
前記フィルタモジュールが挿入収容される空間を提供するフィルタ収容部材と、
前記フィルタ収容部材の前端に結合され、前記フィルタ装着口を介して露出し、使用者によって引出・引入操作される引出操作部材と、を含み、
前記フィルタ収容部材には、前記引出操作部材側に延長される回転結合部が形成され、
前記引出操作部材には、前記回転結合部と回転可能に結合されるホルダロードが形成されることを特徴とする、請求項３に記載の冷蔵庫。
【請求項５】
前記フィルタアセンブリは、
ホコリ及び異質物をフィルタリングする第１フィルタと、
オイルミストをフィルタリングする第２フィルタと、
微細粉塵をフィルタリングする第３フィルタと、
有害ガスをフィルタリングする第４フィルタと、を含み、
最も吸入口と近い側から前記ファンモータアセンブリに向かって前記第１フィルタと、前記第２フィルタと、前記第３フィルタと、前記第４フィルタの順に配置されることを特徴とする、請求項１〜４の何れか一項に記載の冷蔵庫。
【請求項６】
前記ファンモータアセンブリは、
モータと、
前記モータによって回転し、空気を中心方向に吸入して円周方向に吐出するファンと、
前記ケースの底面に装着されて前記モータを支持し、前記ファンによって流動する空間の底面を形成するモータサポーターと、
前記モータサポーターと結合され、前記ファンが収容される空間を形成し、前記ファンによって空気が流入するガイド吸入口と前記ファンによって吐出されるガイド吐出口を形成するファンガイドと、を含み、
前記ファンモータアセンブリは、前記モータとファンが前記モータサポーターとファンガイドの結合によって形成される空間の内側に装着された状態で前記ケースの内側に装着されることを特徴とする、請求項１〜５の何れか一項に記載の冷蔵庫。
【請求項７】
前記冷蔵庫のドアと対向する前記ケースの前面には、
前記空気浄化装置の運転状態を表示するためのディスプレイと、
前記空気浄化装置の運転を操作するために使用者が操作する操作ボタンが備えられることを特徴とする、請求項１〜６の何れか一項に記載の冷蔵庫。
【請求項８】
前記吐出口は、前記ケースの前面の前記ディスプレイの上方に形成され、
前記吸入口は、前記吐出口を基準に前記ケースの両側面に形成されることを特徴とする、請求項７に記載の冷蔵庫。
【請求項９】
前記サイド吸入ガイドとフロント吐出ガイドは、それぞれ前記吸入口及び吐出口に向かってラウンド状に形成され、吸入空気及び吐出空気を案内することを特徴とする、請求項１〜７の何れか一項に記載の冷蔵庫。
【請求項１０】
前記ケースの底面には、スチール素材の前記キャビネットの上面と磁力によって付着する磁石がさらに備えられることを特徴とする、請求項１〜９の何れか一項に記載の冷蔵庫。
【請求項１１】
前記キャビネットの上面に備えられ、前記ドアを前記キャビネットに回転可能に連結するヒンジ装置をさらに含み、
前記ヒンジ装置の相互対向する内側面と、これに対応する前記ケースの両側面には、相互対応する形状に突出及び陥没して結合される装着突起と装着溝が形成されることを特徴とする、請求項１〜１０の何れか一項に記載の冷蔵庫。
【請求項１２】
前記制御部は、前記ガスセンサによって感知された有害ガスの感知量に応じて、前記ファンモータアセンブリの運転を制御する、請求項１〜１１の何れか一項に記載の冷蔵庫。
【請求項１３】
前記制御部は、前記有害ガスが設定基準以上感知される場合、前記ファンモータアセンブリの運転を開始し、運転開始後前記有害ガスが設定基準以下感知されると、前記ファンモータアセンブリを停止させる、請求項１２に記載の冷蔵庫。
【請求項１４】
前記制御部は、前記有害ガスの感知量に応じて風量が可変するように、前記ファンモータアセンブリを制御する、請求項１２に記載の冷蔵庫。
【請求項１５】
前記ケースの上面には、前記ファンガイドと対応する位置から上方に陥没した吸入案内部が形成され、
前記吸入案内部の内側には、前記ファンガイドの上面に形成されるガイド吸入口が位置し、
前記サイド吸入口は、前記吸入案内部の直径より小さい直径を有するベルマウス形状に形成されることを特徴とする、請求項６に記載の冷蔵庫。
【発明の詳細な説明】
【技術分野】
【０００１】
本発明は、冷蔵庫用空気浄化装置、空気浄化装置及び冷蔵庫に関するものである。
【背景技術】
【０００２】
一般的に、冷蔵庫は、ドアによって遮蔽される内部の貯蔵空間に食物を貯蔵できるようにする家電機器である。このために、冷蔵庫は、冷凍サイクルを循環する冷媒との熱交換を介して発生する冷気を利用して貯蔵空間の内部を冷却することで、貯蔵された食物を最適状態に保管できるように構成される。
【０００３】
そして、冷蔵庫は、冷蔵室および冷凍室のような庫内の貯蔵空間の配置によって多様な形態に分類される。そして、冷蔵庫には使用者の使用便宜性を向上させるための多様な構造と装置が提供される。
【０００４】
最近は、冷蔵庫に室内空気を浄化できる空気浄化装置が装着された冷蔵庫が開発されている。
【０００５】
大韓民国登録特許第１０-０７９７１５４号には、冷蔵庫の上面に空気清浄器が脱着可能に設置され、ファンの回転によって両側方から空気を吸入してフィルタ部にて浄化させた後、前方に向かって浄化された空気を吐出する構造を有する冷蔵庫用空気清浄器に対して開示されている。
【０００６】
このような構造を有する従来技術による冷蔵庫では、次のような問題がある。
【０００７】
まず、固定設置される冷蔵庫に装着される従来の空気清浄器では、限定された空間の空気浄化のみ可能であり、冷蔵庫が設置されたキッチン空間における十分な空気浄化の効果を期待することはできない問題がある。
【０００８】
そして、従来の空気清浄器は、コンパクトな構造のためにクロスファンタイプのファンが使用され、このような構造では吸入および吐出風量が少ないので、空気浄化効果が少ない問題がある。
【０００９】
そして、従来の空気清浄器のフィルタ部を構成するフィルタは、坑菌フィルタと脱臭フィルタおよび集塵フィルタから構成される。しかし、このような構成は、一般的な空気清浄器と同様な構造として、キッチンの環境に特化した構成ではないので、キッチンの空気浄化に効果的ではない問題がある。
【発明の概要】
【００１０】
〔１〕  冷蔵庫用空気浄化装置であって、
冷蔵庫のキャビネットの上面に装着され、吸入口と吐出口が形成されるケースと、
前記ケースの内部に備えられ、空気の流動を強制するファンモータアセンブリと、
前記吸入口と前記ファンモータアセンブリとの間を区画するように前記ケースの内部に装着され、吸入される空気を浄化するフィルタアセンブリと、
前記ファンモータアセンブリの駆動を制御する制御部と、
前記制御部と連結され、キッチン空間の有害ガスを感知するガスセンサと、
を含み、
前記制御部は、前記ガスセンサの感知によって前記ファンモータアセンブリの運転を制御することを特徴とする、冷蔵庫用空気浄化装置。
〔２〕  前記ケースには、前方に開口されたフィルタ装着口が形成され、
前記フィルタ装着口は、前記ケースの内側にスライディング引出・引入される前記フィルタアセンブリによって遮蔽されることを特徴とする、〔１〕に記載の冷蔵庫用空気浄化装置。
〔３〕  前記フィルタアセンブリは、
多数のフィルタが相互結合されて形成されるフィルタモジュールと、
結合された状態の前記フィルタモジュールを収容し、前記ケースの内側に引出・引入可能に提供されるフィルタケースとを含むことを特徴とする、〔１〕又は〔２〕に記載の冷蔵庫用空気浄化装置。
〔４〕  前記フィルタケースは、
前記フィルタモジュールが挿入収容される空間を提供するフィルタ収容部材と、
前記フィルタ収容部材の前端に結合され、前記フィルタ装着口を介して露出し、使用者によって引出・引入操作される引出操作部材とを含み、
前記フィルタ収容部材には、前記引出操作部材側に延長される回転結合部が形成され、
前記引出操作部材には、前記回転結合部と回転可能に結合されるホルダロードが形成されることを特徴とする、〔３〕に記載の冷蔵庫用空気浄化装置。
〔５〕  前記フィルタアセンブリは、
オイルミストをフィルタリングするフィルタと、
前記有害ガスをフィルタリングするフィルタとを含むことを特徴とする、〔１〕〜〔４〕のいずれか一項に記載の冷蔵庫用空気浄化装置。
〔６〕  前記ファンモータアセンブリは、
モータと、
前記ケースの底面に固定され、前記モータを支持するモータサポーターと、
前記モータによって回転し、空気を中心方向に吸入して円周方向に吐出するファンと、
前記モータサポーターと結合され、前記ファンが収容される空間を形成し、前記ファンによって空気が流入するガイド吸入口と前記ファンによって吐出されるガイド吐出口を形成するファンガイドと、
前記ケースの底面に形成され、前記吐出口と前記ガイド吐出口を連結して吐出空気を案内する吐出エアーガイドが形成されることを特徴とする、〔１〕〜〔５〕のいずれか一項に記載の冷蔵庫用空気浄化装置。
〔７〕  前記冷蔵庫のドアと対向する前記ケースの前面には、
前記空気浄化装置の運転状態を表示するためのディスプレイと、
前記空気浄化装置の運転を操作するために使用者が操作する操作ボタンが備えられることを特徴とする、〔１〕〜〔６〕のいずれか一項に記載の冷蔵庫用空気浄化装置。
〔８〕  前記吐出口は、前記ケースの前面の前記ディスプレイの上方に形成され、
前記吸入口は、前記吐出口を基準に前記ケースの両側面に形成されることを特徴とする、〔７〕に記載の冷蔵庫用空気浄化装置。
〔９〕  前記ディスプレイと対応する前記ケースの内側面には、底面から前記吐出口までラウンド状に形成され、吐出される空気を前記吐出口側に案内するフロント吐出ガイドが形成されることを特徴とする、〔７〕に記載の冷蔵庫用空気浄化装置。
〔１０〕  前記ケースの底面には、スチール素材の前記キャビネットの上面と磁力によって付着する磁石がさらに備えられることを特徴とする、〔１〕〜〔９〕のいずれか一項に記載の冷蔵庫用空気浄化装置。
〔１１〕  冷蔵庫の外面に設置されるかまたは当該冷蔵庫が設置されたキッチン空間に設置される空気浄化装置であって、
吸入口と吐出口が形成されるケースと、
前記ケースの内部に備えられ、空気の流動を強制するファンモータアセンブリと、
前記吸入口と前記ファンモータアセンブリとの間を区画するように前記ケースの内部に装着され、吸入される空気を浄化するフィルタアセンブリと、
前記ファンモータアセンブリの駆動を制御する制御部と、
前記制御部と連結され、前記キッチン空間の有害ガスを感知するガスセンサと、を含み、
前記制御部は、前記ガスセンサの感知結果に応じて前記ファンモータアセンブリの運転を制御することを特徴とする、空気浄化装置。
〔１２〕  前記制御部は、前記ガスセンサによって感知された有害ガスの感知量に応じて、前記ファンモータアセンブリの運転を制御する、〔１１〕に記載の空気浄化装置。
〔１３〕  前記制御部は、前記有害ガスが設定基準以上感知される場合、前記ファンモータアセンブリの運転を開始し、運転開始後前記有害ガスが設定基準以下感知されると、前記ファンモータアセンブリを停止させる、〔１２〕に記載の空気浄化装置。
〔１４〕  前記制御部は、前記有害ガスの感知量に応じて風量が可変するように、前記ファンモータアセンブリを制御する、〔１２〕に記載の空気浄化装置。
〔１５〕  〔１〕〜〔１０〕のいずれか一項に記載の冷蔵庫用空気浄化装置又は〔１１〕〜〔１４〕のいずれか一項に記載の空気浄化装置を備える、冷蔵庫。
本発明の実施例は、キッチン空間の空気を効果的に浄化できる冷蔵庫および冷蔵庫用空気浄化装置を提供することを目的とする。
【００１１】
そして、本発明の実施例は、キッチン空間の一酸化炭素と窒素化合物の除去が可能な冷蔵庫および冷蔵庫用空気浄化装置を提供することを目的とする。
【００１２】
そして、本発明の実施例は、キッチン空間の空気状態に応じて自動的にオンオフされ、能動的に空気を浄化する冷蔵庫および冷蔵庫用空気浄化装置を提供することを目的とする。
【００１３】
そして、本発明の実施例は、フィルタのメンテナンスが容易な冷蔵庫および冷蔵庫用空気浄化装置を提供することを目的とする。
【００１４】
そして、本発明の実施例は、冷蔵庫に装着できるコンパクトな構造を有する 冷蔵庫用空気浄化装置を提供することを目的とする。
【００１５】
そして、本発明の実施例は、冷蔵庫に装着された状態においても、冷蔵庫の外観デザインを阻害しない 冷蔵庫用空気浄化装置を提供することを目的とする。
【００１６】
そして、本発明の実施例は、空気浄化装置の脱着が容易な冷蔵庫を提供することを目的とする。
【００１７】
そして、本発明の実施例は、キャビネットに装着および独立的な使用が可能な冷蔵庫用空気浄化装置を提供することを目的とする。
【００１８】
本発明の実施例に係る冷蔵庫および冷蔵庫用空気浄化装置は、キッチン空間に設置された冷蔵庫のキャビネットの上面に装着され、吸入口と吐出口が形成されるケースと、前記ケースの内部に備えられ、空気の流動を強制するファンモータアセンブリと、前記吸入口と前記ファンモータアセンブリとの間を区画するように前記ケースの内部に装着され、吸入される空気を浄化するフィルタアセンブリと、前記ファンモータアセンブリの駆動を制御する制御部と、前記制御部と連結され、前記キッチン空間の有害ガスを感知するガスセンサとを含み、前記制御部は、前記ガスセンサの感知によって前記ファンモータアセンブリの運転を制御することができる。
【００１９】
前記ガスセンサは、空気中の一酸化炭素または二酸化窒素を有害ガスとして感知することができる。
【００２０】
前記制御部は、前記有害ガスが設定基準以上感知される場合、前記ファンモータアセンブリの運転を開始し、運転開始後前記有害ガスが設定基準以下感知されると、前記ファンモータアセンブリを停止させることができる。
【００２１】
前記制御部は、前記有害ガスの感知量に応じて風量が可変するように、前記ファンモータアセンブリを制御することができる。
【００２２】
前記ケースには、前方に開口されたフィルタ装着口が形成され、前記フィルタ装着口は、前記ケースの内側にスライディング引出・引入される前記フィルタアセンブリによって遮蔽される。
【００２３】
前記フィルタ装着口後方の前記ケースの内部には、前記フィルタアセンブリの側面と接するように突出し、前記フィルタアセンブリの引出・引入を案内するフィルタガイドが形成される。
【００２４】
前記フィルタアセンブリは、多数のフィルタが相互結合されて複数の結合体から形成されるフィルタモジュールと、結合された状態の前記フィルタモジュールを収容し、前記ケースの内側に引出・引入可能に提供されるフィルタケースとを含むことができる。
【００２５】
前記フィルタモジュールは、交替またはサービス周期が類似するフィルタ間に相互結合されて一体構成されてもよい。
【００２６】
前記フィルタモジュールは、類似機能を有するフィルタ間に相互結合されて一体構成されてもよい。
【００２７】
前記フィルタモジュールは、前記吸入口と最も近く配置され、異質物をフィルタリングする第１フィルタと、前記第１フィルタと連続配置され、オイルミストをフィルタリングする第２フィルタと、前記第２フィルタと連続配置され、微細ホコリをフィルタリングする第３フィルタと、前記第３フィルタと連続配置され、前記有害ガスをフィルタリングする第４フィルタと、前記第４フィルタと連続配置され、細菌を殺菌する第５フィルタと、前記第５フィルタと連続配置され、悪臭の発生因子をフィルタリングする第６フィルタとを含むことができる。
【００２８】
前記フィルタケースは、前記フィルタモジュールが挿入収容される空間を提供するフィルタ収容部材と、前記フィルタ収容部材の前端に結合され、前記フィルタ装着口を介して露出し、使用者によって引出・引入操作される引出操作部材とを含むことができる。
【００２９】
前記フィルタ収容部材には、前記引出操作部材側に延長される回転結合部が形成され、前記引出操作部材には、前記回転結合部と回転可能に結合されるホルダロードが形成される。
【００３０】
前記引出操作部材には、前記フィルタアセンブリが装着された状態で前記フィルタ装着口と係止されるカバー固定突起が形成されることを特徴とする。
【００３１】
前記引出操作部材には、使用者が掴むことができるように凹み、前記フィルタアセンブリの引出・引入操作を容易にする取っ手溝が形成される。
【００３２】
前記フィルタアセンブリは、オイルミストをフィルタリングするフィルタと、前記有害ガスをフィルタリングするフィルタとを含むことができる。
【００３３】
前記ファンモータアセンブリは、モータと、前記ケースの底面に固定され、前記モータを支持するモータサポーターと、前記モータによって回転し、空気を中心方向に吸入して円周方向に吐出するファンと、前記モータサポーターと結合され、前記ファンが収容される空間を形成し、前記ファンによって空気が流入するガイド吸入口と前記ファンによって吐出されるガイド吐出口を形成するファンガイドとを含むことができる。
【００３４】
前記ファンは、ターボファンからなることができる。
【００３５】
前記ケースには、前記吐出口と前記ガイド吐出口を連結して吐出空気を案内する吐出エアーガイドが形成される。
【００３６】
前記冷蔵庫のドアと対向する前記ケースの前面には、前記空気浄化装置の運転状態を表示するためのディスプレイと、前記空気浄化装置の運転を操作するために使用者が操作する操作ボタンが備えられる。
【００３７】
前記吐出口は、前記ケースの前面の前記ディスプレイの上方に形成され、前記吸入口は、前記吐出口を基準に前記ケースの両側面に形成される。
【００３８】
前記ディスプレイと対応する前記ケースの内側面には、底面から前記吐出口までラウンド状に形成され、吐出される空気を前記吐出口側に案内するフロント吐出ガイドが形成される。
【００３９】
前記ケースの内部には、バリアが備えられて前記ケースの内部を左右両側に区画し、前記ファンモータアセンブリとフィルタアセンブリは、前記バリアによって区画されたそれぞれの空間に備えられてもよい。
【００４０】
前記バリアは、前記吐出口を区画するように延長され、前記吐出口と接する前記バリアの端部には、空気の流動方向に折り曲げられるガイド部がさらに形成される。
【００４１】
前記ケースの底面には、スチール素材の前記キャビネットの上面と磁力によって付着する磁石がさらに備えられる。
【００４２】
前記ケースの外側に延長され、前記冷蔵庫用空気浄化装置への電源供給のための電源部をさらに含むことができる。
【００４３】
前記電源部にはプラグが提供され、電源を供給するコンセントと連結可能である。
【００４４】
前記電源部にはコネクタが提供され、前記冷蔵庫の電源線と連結可能である。
【００４５】
前記ケースの前面に開口される前記吐出口の前方には、前記吐出口を覆う吐出口カバーが備えられ、前記吐出口カバーの両側端には、前記ケースの前面に結合されるように後方に延長されるカバー突起が形成される。
【００４６】
前記吐出口カバーの下端には、後方に延長され、前記吐出口の下端と接して吐出口の下方への吐出を遮断する遮蔽部が形成される。
【図面の簡単な説明】
【００４７】
【図１】本発明の実施例に係る冷蔵庫の斜視図である。
【図２】前記冷蔵庫のドアが開放された正面図である。
【図３】本発明の実施例に係る空気浄化装置が前記冷蔵庫から分離された状態を示す図である。
【図４】前記空気浄化装置の分解斜視図である。
【図５】図３の５-５'線断面図である。
【図６】図４の６-６'線断面図である。
【図７】前記空気浄化装置のフィルタアセンブリが分離された状態を示す図である。
【図８】前記図６の８-８'線断面図である。
【図９】前記フィルタアセンブリの分解斜視図である。
【図１０】前記フィルタアセンブリのフィルタモジュールが分離された状態を示す図である。
【図１１】前記フィルタアセンブリの結合構造を示す部分斜視図である。
【図１２】前記空気浄化装置の制御信号の流れを示すブロック図である。
【図１３】前記空気浄化装置の外気吸入および流動状態を示した断面図である。
【図１４】前記空気浄化装置の浄化された空気の吐出状態を示した断面図である。
【図１５】本発明の別の実施例に係る空気浄化装置が冷蔵庫に装着された様子を示す部分正面図である。
【図１６】前記空気浄化装置が装着された冷蔵庫の平面図である。
【図１７】前記空気浄化装置の分解斜視図である。
【図１８】前記空気浄化装置の空気の流動状態を示した断面図である。
【発明を実施するための形態】
【００４８】
以下、本発明の具体的な実施例を図面を参照して詳しく説明するようにする。なお、本発明は、本発明の思想が提示される実施例に制限されるものではなく、他の構成要素の追加、変更、削除などによって、退歩的な別の発明や本発明の思想範囲内に含まれる別の実施例を容易に制限することができる。
【００４９】
図１は本発明の実施例に係る冷蔵庫の斜視図であり、図２は前記冷蔵庫のドアが開放された正面図である。
【００５０】
図示されているように、本発明の実施例に係る冷蔵庫１は、貯蔵空間を形成するキャビネット１０と、前記キャビネット１０に装着されて前記貯蔵空間を開閉するドア２０によって外観が形成される。
【００５１】
前記キャビネット１０の内部の貯蔵空間は、バリア１１によって上下に区画され、上部に冷蔵室１２と下部に冷凍室１３を形成することができる。そして、前記冷凍室１３の空間は、左右にさらに区画されてもよい。前記冷蔵室１２と冷凍室１３の内部には、多数の棚と引出が備えられて用途に合う食品の収納が可能となる。
【００５２】
前記ドア２０は、前記冷蔵室を開閉する冷蔵室ドア２１と冷凍室を開閉する冷凍室ドア２２から構成される。前記冷蔵室ドア２１は、前記キャビネット１０の上面両側に備えられるヒンジ装置２３によって回動可能に装着される。よって、一対の前記冷蔵室ドア２１によって、前記冷蔵室１２は全体または部分的な開放が可能となる。
【００５３】
前記冷凍室ドア２２も、左右両側に一対がそれぞれ独立的に回動可能に構成される。前記一対の冷凍室ドア２２は、区画された前記冷凍室の空間をそれぞれ開閉することができる。
【００５４】
前記冷蔵室ドア２１と冷凍室ドア２２の背面には、多数のドアバスケットが備えられて食品の収納空間を提供することになる。
【００５５】
本発明の実施例は、説明と理解の便宜上、ボトムフリーザー型冷蔵庫を例として説明するだけで、冷蔵庫の形態と構造に限定されるものではない。
【００５６】
一方、前記キャビネット１０の上面には、前記冷蔵庫１の運転を制御するためのメインコントロール部１４が形成される。前記メインコントロール部１４は、前記冷蔵庫の上面中央から上方に突出するように形成される。そして、前記メインコントロール部１４の内部には、前記冷蔵庫１の運転を制御するメインＰＣＢが備えられてもよい。
【００５７】
そして、前記キャビネット１０の上面には、空気浄化装置３０がさらに備えられる。前記空気浄化装置３０は、前記冷蔵庫１が配置されたキッチン空間の空気を浄化するためのものとして、前記キャビネット１０の上面に備えられる。
【００５８】
前記空気浄化装置３０は、前記メインコントロール部１４と前記冷蔵室ドア２１および前記ヒンジ装置２３との間の空間に配置され、両側方から空気を吸入して内部にて浄化した後、前方に吐出する構造を有することになる。
【００５９】
前記空気浄化装置３０の後端は、前記メインコントロール部１４の前端と接することになり、これによって前記メインコントロール部１４が配置される後方には空気の流入または吐出が不可能な構造を有することになる。
【００６０】
前記空気浄化装置３０の前面は、前記冷蔵室ドア２１によって遮蔽される。前記冷蔵室ドア２１の上端は、前記空気浄化装置３０の高さと同一または高く延長される。よって、前記冷蔵室ドア２１が閉じられた状態では、前方から見る時前記空気浄化装置３０が露出しないように、前記冷蔵室ドア２１によって覆われる。すなわち、前記空気浄化装置３０の高さは、前記冷蔵室ドア２１の上端より低く形成される。
【００６１】
一方、前記冷蔵室ドア２１が開放された状態では、前記空気浄化装置３０の前面が露出する。そして、前記空気浄化装置３０の前面には、ディスプレイ３０３と操作ボタン３０４が備えられてもよい。よって冷蔵室ドア２１が開放された状態では、前記ディスプレイ３０３を介して前記空気浄化装置３０の動作状態を表示することができ、空気浄化運転に関する各種情報を表示できることになる。そして、前記操作ボタン３０４を操作して前記空気浄化装置３０の運転を設定および操作することができる。
【００６２】
図３は、本発明の実施例に係る空気浄化装置が前記冷蔵庫から分離された状態を示す図である。
【００６３】
図示されているように、前記空気浄化装置３０は、前記キャビネット１０から脱着可能に提供される。具体的に、前記空気浄化装置３０は、前記両側面が前記ヒンジ装置２３と接するように形成される。
【００６４】
そして、前記空気浄化装置３０の両側面には装着溝３０５が陥没形成され、前記ヒンジ装置２３には装着突起２３１が対応する形状で突出する。よって前記空気浄化装置３０を上下方向に移動させて前記キャビネット１０に装着することができ、この時前記装着溝３０５と装着突起２３１は相互嵌合して、前記空気浄化装置３０が前記キャビネット１０に装着された状態を維持することになる。前記ヒンジ装置２３は、前記冷蔵室ドア２１の回動のためのヒンジおよびヒンジを遮蔽するヒンジカバーを包括して指すことができる。
【００６５】
一方、前記空気浄化装置３０の底面には磁石３３６が備えられ、前記磁石３３６によって、スチール素材の前記キャビネット１０に前記空気浄化装置３０が安定的に付着した状態を維持することができる。もちろん、前記装着溝３０５と装着突起２３１の嵌合構造と前記磁石３３６による付着構造は、両方とも適用してもよく、いずれか１つの構造を適用してもよい。
【００６６】
前記空気浄化装置３０の一側には、電源ケーブル形態の電源部３０１が備えられてもよい。前記電源部３０１は、コネクタによって前記メインコントロール部１４のコントロールコネクタと連結される。よって前記メインコントロール部１４を介して前記空気浄化装置の駆動に必要な電源が供給される。
【００６７】
図４は前記空気浄化装置の分解斜視図であり、図５は図３の５-５'線断面図であり、図６は図４の６-６'線断面図である。
【００６８】
図示されているように、前記空気浄化装置３０は、外形を形成するケース３１と、前記ケース３１の内部に備えられるファンモータアセンブリ３４およびフィルタアセンブリ３５を含んで構成される。
【００６９】
具体的に、前記ケース３１は、上部ケース３２と下部ケース３３から構成され、前記上部ケース３２と下部ケース３３の結合時、前記ケース３１の内部に前記ファンモータアセンブリ３４と前記フィルタアセンブリ３５が装着される空間を提供することになる。
【００７０】
前記上部ケース３２は、上面が開口される下部ケース３３の上面を遮蔽するように構成される。そして、前記上部ケース３２の上面には吸入案内部３２１が形成される。前記吸入案内部３２１は、前記ファンモータアセンブリ３４と対応する位置に対応する形状で突出形成され、前記上部ケース３２の内側面が陥没して形成される。前記吸入案内部３２１は、前記ケース３１の内部で流動する空気がファン３４３の中心に流動するように案内する空間を形成することができる。
【００７１】
そして、前記上部ケース３２の内側面には、下方に延長される遮蔽リーブ３２２が形成される。前記遮蔽リーブ３２２は、前記吸入案内部３２１の周りに沿って形成され、かつ前半部の一部区間に形成される。前記遮蔽リーブ３２２は、前記ファン３４３の回転時にファン３４３の円周方向に吐出される空気が再び逆流して前記ファン３４３の中心側に流入することを防止できるように形成される。よって、前記遮蔽リーブ３２２は、以下で説明されるファンガイド３４４と接するように延長形成されてもよい。
【００７２】
前記上部ケース３２の周りは傾斜面３２３が形成される。前記傾斜面３２３は、前記上部ケース３２の上面と前記上部ケース３２の下面を連結するように形成される。前記上部ケース３２の上面は、前記上部ケース３２の下面よりサイズが小さく形成され、よって前記傾斜面３２３は、前記上部ケース３２と下部ケース３３の間で所定の傾斜を有することになる。そして、前記傾斜面３２３には、吸入口３２４と吐出口３２５がそれぞれ形成される。
【００７３】
前記吸入口３２４は、前記上部ケース３２の左右両側面と対応する前記傾斜面３２３に形成される。よって前記吸入口３２４を介して前記冷蔵庫１の左右両側方の空気が吸入される。前記吸入口３２４は、前記上部ケース３２の長さ方向に沿って長く延長される多数のスリットによって定義され、グリルのような形状有することができる。
【００７４】
前記吐出口３２５は、前記上部ケース３２の前面と対応する前記傾斜面３２３に形成される。よって前記吐出口３２５は、吸入された空気が前方に吐出されるようにする。前記吐出口３２５も前記吸入口３２４と同様に、前記上部ケース３２の長さ方向に沿って長く延長される多数のスリットによって定義される。
【００７５】
前記吸入口３２４と吐出口３２５は、いずれも前記傾斜面３２３上に形成される。よって前記空気浄化装置３０の内側に吸入される空気は上方から下方へと傾斜方向に吸入され、浄化された空気は下方から上方へと傾斜方向に吐出されることになる。特に、左右両側方から吸入される空気は、前方に吐出されることになるので、立体的な空気の循環が可能となる。
【００７６】
特に、前記吐出口３２５の場合、前方に吐出されると共に、上方に向かって傾斜して吐出されるようにすることで、前記冷蔵室ドア２１の上端が前記空気浄化装置３０の前方を覆っている状況においても、前記冷蔵室ドア２１によって干渉されないように浄化された空気を吐出できることになる。
【００７７】
前記吐出口３２５の両側方には、上部オープニング３２６が形成される。前記上部オープニング３２６は、前記下部ケース３３の下部オープニング３３１と一緒に、前記フィルタアセンブリ３５が出入するフィルタ装着口３０２を形成することになる。
【００７８】
前記上部オープニング３２６は、前記吐出口３２５の両側方に形成され、前記傾斜面３２３から前記上部ケース３２の前面まで切開されて形成される。そして、前記フィルタアセンブリ３５の装着時に遮蔽されるように対応する形状で形成される。
【００７９】
前記下部ケース３３は、前記ケース３１の底面と側面を形成し、上面が開口された空間を形成して、内部に前記ファンモータアセンブリ３４と前記フィルタアセンブリ３５が収容されるようにする。
【００８０】
前記下部ケース３３の周りのうち前面には、前記上部オープニング３２６と対応する位置に下部オープニング３３１が開口されるように形成される。前記下部ケース３３と上部ケース３２の結合によって前記上部オープニング３２６と下部オープニング３３１が相互連結され、前記フィルタアセンブリ３５が出入するフィルタ装着口３０２を形成することになる。
【００８１】
そして、前記下部オープニング３３１の間には、前記ディスプレイ３０３および操作ボタン３０４が装着されるフロント装着部３３２が陥没形成される。そして、前記フロント装着部の内側面または前記フロント装着部３３２と対応する前記下部ケース３３の前面内側には、フロント吐出ガイド３３３が形成される。
【００８２】
前記フロント吐出ガイド３３３は、所定の傾斜またはラウンドを有するように形成され、端部が前記上部ケース３２の吐出口３２５の下端まで延長される。そして、前記フロント吐出ガイド３３３は、前記吐出口３２５の下方で前記吐出口３２５と対応する長さを有するように形成される。よって、前記ファンモータアセンブリ３４を介して前方に送風される空気は、前記フロント吐出ガイド３３３に沿って前方および上方に流動し、前記吐出口３２５を介して傾斜方向に吐出される。
【００８３】
前記下部オープニング３３１の後方には、フィルタガイド３３３が形成される。前記フィルタガイド３３３は、前記下部オープニング３３１と対応する位置で後方に延長され、前記フィルタアセンブリ３５の挿入時に前記フィルタアセンブリ３５が正確な位置に挿入されるようにする。そして前記フィルタガイド３３３には、空気の流動が可能となるように開口３３３ａが形成され、前記開口３３３ａの縁部に沿ってフレーム３３３ｂが形成されて、前記フィルタアセンブリ３５を支持することになる。このとき、前記フレーム３３３ｂは、以下で説明されるフィルタモジュール３６のフレームと対応する形状を有することができる。
【００８４】
一方、前記フィルタガイド３３３は、複数個形成されて前記フィルタガイド３３３を両側で支持することができ、必要に応じて前記フィルタガイド３３３は下部ケース３３と上部ケース３２にそれぞれ形成され、前記フィルタガイド３３３を両側で安定的に支持するように構成することもできる。
【００８５】
前記フィルタガイド３３３の延長された後端には、支持面３３３ｃが形成される。前記支持面３３３ｃは、前記ケース３１の内側に挿入される前記フィルタアセンブリ３５の後端と接する面を形成する。そして、前記支持面３３３ｃは、前記フィルタアセンブリ３５が正確な位置で挿入が完了するように、前記フィルタアセンブリ３５の後端を支持することになる。
【００８６】
そして、前記フロント吐出ガイド３３３の両端には、前記ファンモータアセンブリ３４によって強制流動する空気が前記ファンモータアセンブリ３４を通過した後前記フロント吐出ガイド３３３に向かうように延長される吐出エアーガイド３３４が形成される。
【００８７】
前記吐出エアーガイド３３４は、前記フロント吐出ガイド３３３から延長形成され、前記ファンガイド３４４に開口されたガイド吐出口３４４ｂと接するように延長される。前記吐出エアーガイド３３４は、複数個形成され、前記ガイド吐出口３４４ｂの両端と接するように形成される。前記吐出エアーガイド３３４は、前記ファン３４３の回転方向と同一方向に傾斜するように延長され、前記ファン３４３によって吐出される空気が効果的に前記吐出口３２５に向かうようにする。
【００８８】
前記吐出エアーガイド３３４の延長された端部には、段差部３３４ａが形成される。そして、前記段差部３３４ａには、前記上部ケース３２に形成される遮蔽リーブ３２２が安着するように形成される。よって、前記吐出エアーガイド３３４と遮蔽リーブ３２２によって空気が吸入される空間と吐出される空間が完全に分離される。
【００８９】
一方、前記下部ケース３３の底面には多数の磁石が備えられてもよい。前記磁石の磁力によって前記下部ケース３３はスチール素材の前記キャビネット１０に付着した状態を維持できることになる。
【００９０】
そして、前記下部ケース３３の中央には、前後方向に延長され、前記下部ケース３３の内部を左右両側の２つの空間に区画するバリア３３５が形成される。このとき、前記バリア３３５の前端には、折り曲げられて形成されるガイド部３３５ａがさらに形成され、前記ガイド部３３５ａによって、前記ファンモータアセンブリ３４によって送風される空気の一部を前記フロント吐出ガイド３３３側に案内できることになる。
【００９１】
前記バリア３３５によって区画されるそれぞれの空間に、前記ファンモータアセンブリ３４がそれぞれ装着される。前記ファンモータアセンブリ３４は、左右両側に一対が備えられ、配置に差があるだけで、その構造と形状は同一であるので、一対のうち１つのファンモータアセンブリ３４に対してのみ説明することにする。
【００９２】
前記ファンモータアセンブリ３４は、動力を提供するモータ３４１と前記モータ３４１を支持するモータサポーター３４２、前記モータ３４１によって回転するファン３４３、前記空気の吸入および吐出流路を形成するファンガイド３４４を含むことができる。
【００９３】
具体的に、前記モータ３４１は、前記ファン３４３を回転させるための動力を提供するものとして、前記モータサポーター３４２に固定装着される。そして、前記ファン３４３の中央部に位置され、前記モータ３４１の回転軸が前記ファン３４３と結合されて前記ファン３４３を回転させることになる。
【００９４】
前記モータサポーター３４２は、板状に形成され、前記下部ケース３３の底面に装着される。前記モータサポーター３４２は、円形板状に形成され、前記ファン３４３および前記ファンガイド３４４と対応する円形に形成される。そして、前記ファンガイド３４４の下面には、放射状に延長され、前記モータサポーター３４２と同芯である多数の補強リーブ３４２ｂが形成される。
【００９５】
前記モータサポーター３４２の中央には、陥没したモータ装着部３４２ａが形成され、モータ装着部３４２ａの周りには、前記モータ３４１を固定するための結合部材が締結されるモータ装着孔３４２ｃが形成される。そして、前記モータ装着部３４２ａの中央には、電線が出入する電線孔３４２ｄが形成され、前記モータサポーター３４２の底を介して電線が流入して前記モータ３４１に連結される。
【００９６】
前記モータサポーター３４２の周りには外側に延長される多数のサポーター固定部３４２ｅが形成され、前記サポーター固定部３４２ｅにはサポーター装着孔３４２ｆが形成される。前記サポーター固定部３４２ｅは、一定間隔に配置されるものの、空気が吐出される前記ファンガイド３４４のガイド吐出口３４４ｂの領域には形成されないようにして、空気の流動に干渉しないようにすることができる。
【００９７】
前記ファン３４３は、通常用いられる遠心ファンの構造を有することができ、中央に前記モータ３４１が収容されるハーブ３４３ａが形成され、前記ハーブ３４３ａを中心に放射状のブレード３４３ｂが配置され、前記ブレード３４３ｂは、回転板３４３ｃとシュラウド３４３ｄに固定されるように構成される。前記ファン３４３は、クロスファンより高さを低くしてコンパクトなサイズを有しながらも優れる吸入および吐出性能を有するターボファンを用いることができる。
【００９８】
前記ファンガイド３４４は、前記モータサポーター３４２と結合され、前記ファン３４３が収容される空間を形成することになる。そして、前記ファンガイド３４４には、前記ファン３４３の中央部に空気が吸入されるガイド吸入口３４４ａと前記ファン３４３の円周方向に空気が吐出されるガイド吐出口３４４ｂが形成される。
【００９９】
より具体的に、前記ファンガイド３４４の上面には、ガイド吸入口３４４ａが形成される。そして、前記ガイド吸入口３４４ａの周りにはベルマウス３４４ｃが形成され、空気の吸入が円滑に行われるようにする。前記ベルマウス３４４ｃの直径は、前記吸入案内部３２１の直径より小さく形成され、前記吸入案内部３２１の内側に位置される。よって、前記ファン３４３の回転によって前記吸入案内部３２１の内側に流入する空気は、前記ベルマウス３４４ｃを通って前記ガイド吸入口３４４ａを通過して前記ファン３４３の中央に流入することができる。
【０１００】
前記ファンガイド３４４の上面の周りには側面部３４４ｄが延長される。前記側面部３４４ｄは、前記モータサポーター３４２まで延長され、前記ガイド吐出口３４４ｂを除いた残りの部分が前記モータサポーター３４２と接するように形成される。
【０１０１】
そして、前記側面部３４４ｄには、前記サポーター固定部３４２ｅと対応する位置にガイド固定部３４４ｅが形成される。前記ガイド固定部３４４ｅは、前記サポーター固定部３４２ｅと対応する位置で外側に延長され、前記サポーター固定部３４２ｅと同一形状で形成されて重なるように形成される。このとき、前記サポーター固定部３４２ｅは、前記ガイド吐出口３４４ｂの領域には形成されない。
【０１０２】
前記ガイド固定部３４４ｅには、前記サポーター装着孔３４２ｆを貫通して挿入されるガイド締結部３４４ｆが形成される。前記ガイド締結部３４４ｆは、前記サポーター装着孔３４２ｆを貫通する状態でネジのような固定部材が締結され、前記モータサポーター３４２と前記ファンガイド３４４が結合された状態を維持できるようにする。また、前記モータサポーター３４２と前記ファンガイド３４４が前記下部ケース３３の上に固定装着されるようにする。
【０１０３】
前記ガイド吐出口３４４ｂは、前記一対の吐出エアーガイド３３４の間を連結するように形成され、前記ファンガイド３４４を介して吐出される空気が完全に前記吐出口に向かうように形成される。
【０１０４】
一方、前記ケース３１の内部または外部一側には、ガスセンサ３０６が備えられてもよい。前記ガスセンサ３０６は、前記冷蔵庫１が設置されたキッチン空間の空気の汚染レベルを感知するためのものとして、前記ガスセンサ３０６によって感知される空気の汚染程度に応じて、前記空気浄化装置３０が選択的に運転される。特に、前記ガスセンサ３０６は、キッチンの環境において空気の汚染程度を確認できるようにするものとして、不完全燃焼によって発生する有害ガス、すなわち一酸化炭素(CO)、二酸化窒素(NO２)等を感知できるように構成される。
【０１０５】
そして、前記ケース３１の前面に形成されるフィルタ装着口３０２を介して前記フィルタアセンブリ３５が装着される。前記フィルタアセンブリ３５は、前記吸入口３２４と前記ファンモータアセンブリ３４の間に配置され、前記ケース３１の内部空間を区画するように形成される。よって、前記吸入口３２４を介して吸入された空気は、全部前記フィルタアセンブリ３５を通過しながら浄化され、前記ファンモータアセンブリ３４を介して前記吐出口３２５を通って前記空気浄化装置３０の外側に吐出されることになる。
【０１０６】
前記フィルタアセンブリ３５は、前記ケース３１の左右両側にそれぞれ備えられ、前記フィルタ装着口３０２を介してスライド引出・引入できるように形成される。そして、多数のフィルタが結合されたフィルタモジュール３６は、前記フィルタアセンブリ３５の引出・引入時に全体が一緒に引出・引入される。
【０１０７】
前記フィルタアセンブリ３５は、左右両側に配置される配置位置のみに差があるだけで、その構造は同一である。よって、以下では左右両側のフィルタアセンブリ３５のうちの一側のアセンブリに関してより詳しく説明するようにする。
【０１０８】
図７は、前記空気浄化装置のフィルタアセンブリが分離された状態を示す図である。図８は、前記図６の８-８'線断面図である。
【０１０９】
図示されているように、前記フィルタアセンブリ３５は前後方向に長く形成され、前記ケース３１の内側に挿入された状態で、前記ケース３１のフィルタ装着口３０２を遮蔽して前記ケース３１の外側面の外観の一部を形成する。
【０１１０】
このために、前記フィルタアセンブリ３５は、前記多数のフィルタ３６１、３６２、３６３、３６４、３６５、３６６が結合形成されるフィルタモジュール３６と、前記フィルタモジュール３６が装着されるフィルタケース３７から構成される。そして、前記フィルタケース３７は、前記フィルタモジュール３６が脱着されるフィルタ収容部材３８と、前記フィルタ収容部材３８の引出・引入のための引出操作部材３９から構成される。
【０１１１】
前記フィルタ収容部材３８は、前記フィルタモジュール３６が装着された状態で前記ケース３１の内部に配置され、前記吸入口３２４と前記ファンモータアセンブリ３４の間を区画するように構成される。そして、前記フィルタ収容部材３８は、前記フィルタガイド３３３によって前記ケース３１の内側に設定された位置に装着される。そして、前記フィルタアセンブリ３５が前記ケース３１の内部に完全に引入された状態で、前記フィルタ収容部材３８の後端は前記支持面３３３ｃと接することになる。
【０１１２】
前記引出操作部材３９は、前記フィルタアセンブリ３５が装着された状態で前記ケース３１のフィルタ装着口３０２を遮蔽し、外部に露出されるように形成される。よって前記引出操作部材３９は、前記ケースの外側面の形状と対応するように形成される。また、前記引出操作部材３９は外部に露出されるように構成され、前記フィルタアセンブリ３５の引出・引入操作のために使用者が容易に操作することができる。
【０１１３】
前記引出操作部材３９は、前記フィルタ収容部材３８の前端の回転結合部３８１と結合されるフィルタホルダー３９１と、前記フィルタホルダー３９１と結合され、前記ケースのフィルタ装着口３０２を遮蔽するフィルタカバー３９２から構成される。
【０１１４】
前記フィルタホルダー３９１は、前記回転結合部３８１と結合されるホルダロード３９１ｃを含み、前記引出操作部材３９の引出・引入時に前記フィルタ収容部材３８と結合された状態で一緒に引出・引入される。
【０１１５】
そして、前記フィルタカバー３９２は、前記ケース３１の傾斜面と対応する傾斜部３９３を有し、前記下部ケース３３の周面と対応する操作部３９４から構成される。前記操作部３９４の上面には下方に陥没した取っ手溝３９４ａが形成され、使用者は前記取っ手溝３９４ａを掴んで前記フィルタアセンブリ３５を引出・引入操作することができる。そして、前記取っ手溝３９４ａは、前記上部ケース３２のフレームと対応する前記操作部３９４の上面に形成される。
【０１１６】
図９は前記フィルタアセンブリの分解斜視図であり、図１０は前記フィルタアセンブリのフィルタモジュールが分離された状態を示す図であり、図１１は前記フィルタアセンブリの結合構造を示す部分斜視図である。
【０１１７】
図面を参照して前記フィルタアセンブリ３５をより詳しく説明すると、前記フィルタカバー３９２にはカバーボス３９２ａが形成され、前記カバーボス３９２ａは前記フィルタホルダー３９１の締結孔３９１ａと対応する位置に形成される。よって、前記取っ手溝３９４ａを介して前記カバーボス３９２ａを貫通するネジは、前記締結孔３９１ａに締結されて前記フィルタカバー３９２と前記フィルタホルダー３９１が相互結合されるようにする。
【０１１８】
そして、前記傾斜部３９３の上端には、前記第１カバー固定突起３９３ａが形成される。前記第１カバー固定突起３９３ａは、前記ケース３１の内側に向かって突出し、前記フィルタアセンブリ３５の装着時に前記フィルタ装着口３０２の開口された上端に係止されるように形成される。また、前記操作部３９４の背面両側には、第２カバー固定突起３９４ａがさらに形成される。前記第２カバー固定突起３９４ａは、前記ケース３１の内側に向かって突出し、前記フィルタアセンブリ３５の装着時に前記フィルタ装着口３０２の開口された両側端に係止されるように形成される。
【０１１９】
前記第１カバー固定突起３９３ａと第２カバー固定突起３９４ａは、前記ケース３１に形成されたフィルタ装着口３０２に係止されるようにフック状に形成され、必要に応じて突起または嵌合可能な他の形状に形成されてもよい。よって、前記フィルタアセンブリ３５の装着完了時に前記第１カバー固定突起３９３ａと第２カバー固定突起３９４ａは、前記ケース３１のフィルタ装着口３０２に係止されて固定状態を維持することができる。
【０１２０】
前記フィルタホルダー３９１は、前後方向、すなわち前記フィルタカバー３９２と前記フィルタ収容部材３８の間の空間が貫通する構造を有するように形成される。そして、前記フィルタホルダー３９１の前端は、前記操作部３９４の背面に密着することができる。そして、前記フィルタホルダー３９１の前面上端にはホルダー段差部３９１ｂが形成され、前記フィルタカバー３９２の取っ手溝３９４ａの下端が安着できるように、対応する形状に段差を有するように形成される。
【０１２１】
前記フィルタホルダー３９１の内側には、前記フィルタ収容部材３８の回転結合部３８１と回転可能に結合されるホルダロード３９１ｃが形成される。前記ホルダロード３９１ｃは、前記フィルタホルダー３９１の内側を横断するように形成され、前記回転結合部３８１と回転可能な状態に結合される。すなわち、前記ホルダロード３９１ｃは、前記フィルタ収容部材３８の回転軸となることができる。
【０１２２】
前記フィルタホルダー３９１の後面下端にはストッパー３９１ｄが形成される。前記ストッパー３９１ｄは後方に突出形成され、前記フィルタ収容部材３８の残端と嵌合して、前記フィルタ収容部材３８が時計回りの方向(図１１から見て)にそれ以上回転しないように制限することになる。
【０１２３】
前記フィルタ収容部材３８は上面が開口されるように形成され、前記フィルタモジュール３６が収容されるように、前記フィルタモジュール３６の幅と長さに対応する大きさで形成される。そして、前記フィルタ収容部材３８の内側面には、内側方向に突出するフィルタ固定突起３８２が形成される。
【０１２４】
前記フィルタ固定突起３８２は、前記フィルタモジュール３６の装着時に前記フィルタモジュール３６の側面と係止されるように構成され、前記フィルタモジュール３６が前記フィルタ収容部材３８に装着された状態を維持するようにする。そして、前記フィルタ収容部材３８の後端には、下方に凹み、前記フィルタモジュール３６の装着時に前記フィルタモジュール３６の後端が安着する安着部３８３がさらに形成されてもよい。
【０１２５】
前記フィルタ収容部材３８の前面には、前記回転結合部３８１が形成される。前記回転結合部３８１は、前方に所定長さだけ延長され、延長された端部には、環状に形成されて前記ホルダロード３９１ｃを包むように輪部３８１ａが形成される。そして、前記輪部３８１ａは、前記ホルダロード３９１ｃが圧入されるように一部が開口される構造を有し、前記フィルタホルダー３９１と前記フィルタ収容部材３８が選択的に結合および分離できるように形成される。そして、前記フィルタ収容部材３８は、前記ホルダロード３９１ｃを軸として回転することができる。
【０１２６】
このような前記フィルタケース３７の結合構造は、前記フィルタ収容部材３８とフィルタホルダー３９１およびフィルタケース３７の成形を容易とする一方、前記引出操作部材３９と前記フィルタ収容部材３８が結合されて一緒に引出・引入されるようにする。
【０１２７】
一方、前記回転結合部３８１の下部には、下方に延長される収容部材ボス３８１ｃが形成される。そして、前記フィルタホルダー３９１と前記フィルタ収容部材３８の結合時に、前記フィルタ収容部材３８の回転結合部３８１および前記収容部材ボス３８１ｃは、前記フィルタホルダー３９１の開口された内側空間に挿入される。そして、前記フィルタホルダー３９１の下面から締結されるネジが前記収容部材ボス３８１ｃに締結され、前記フィルタ収容部材３８の任意の分離および任意の回動動作を防止することができる。
【０１２８】
前記フィルタモジュール３６は、前記フィルタ収容部材３８に多数のフィルタが結合されたモジュール状態で脱着可能となる。よって、必要に応じて前記フィルタモジュール３６のメンテナンス作業時に前記フィルタモジュール３６が前記フィルタ収容部材３８から分離され、それから多数のフィルタを分離して、多数の前記フィルタにメンテナンス作業を行った後、組立てて前記フィルタ収容部材３８に装着することになる。
【０１２９】
前記フィルタモジュール３６は、キッチン空間の空気が通過しながら浄化されるようにするものとして、キッチン空間の空気の特性に合うフィルタが備えられ、効果的に流入する空気を浄化して吐出できるようにする。
【０１３０】
前記フィルタモジュール３６は、多数のフィルタ３６１、３６２、３６３、３６４、３６５、３６６からなることができる。そして、前記フィルタ３６１、３６２、３６３、３６４、３６５、３６６は、相互結合できるように構成されるフレーム３６１ａ、３６２ａ、３６３ａ、３６４ａ、３６５ａ、３６６ａと、前記フレーム３６１ａ、３６２ａ、３６３ａ、３６４ａ、３６５ａ、３６６ａの内側に備えられて通過する空気を浄化するフィルタメンバー３６１ｂ、３６２ｂ、３６３ｂ、３６４ｂ、３６５ｂ、３６６ｂからなることができる。
【０１３１】
そして、前記多数のフィルタフレーム３６１ａ、３６２ａ、３６３ａ、３６４ａ、３６５ａ、３６６ａは、相互結合されて１つのモジュール形態に構成される。このような構造によって、それぞれの機能を有するフィルタ３６１、３６２、３６３、３６４、３６５、３６６は、前記フレーム３６１ａ、３６２ａ、３６３ａ、３６４ａ、３６５ａ、３６６ａと一緒にカートリッジの形態で脱着または分離でき、交換周期またはサービス状況によって、多数のフィルタ３６１、３６２、３６３、３６４、３６５、３６６中の少なくともいずれか１つが選択的に脱着される。
【０１３２】
前記フィルタモジュール３６の構成に関してより詳しく説明すると、空気が吸入される外側から第１フィルタ３６１と第２フィルタ３６２、第３フィルタ３６３、第４フィルタ３６４、第５フィルタ３６５、第６フィルタ３６６の順で連続して配置される。前記多数のフィルタ３６１、３６２、３６３、３６４、３６５、３６６は、側方から見る時、その大きさが同一であり、重なった状態に結合される。
【０１３３】
前記第１フィルタ３６１は、前記吸入口３２４と最も近くに配置され、吸入される空気中の大きい粒子のホコリまたは異質物をフィルタリングするように構成される。そして、前記第２フィルタ３６２は、前記第１フィルタ３６１と接するように配置され、オイルミストをフィルタリングするように構成される。すなわち、キッチンの料理中に発生する微細なオイルミストが空気中に混ざり合った状態で流入する場合、このようなオイルミストが前記第２フィルタ３６２を通過する過程でフィルタリングされる。
【０１３４】
そして、前記第１フィルタ３６１の第１フレーム３６１ａに第１装着溝３６１ｃが形成され、前記第２フィルタ３６２の第２フレーム３６２ａに第１装着突起３６２ｃが形成される。前記第１装着溝３６１ｃと第２装着突起３６３ｃは相互結合され、前記第１フィルタ３６１と第２フィルタ３６２は一体で構成されてもよい。よって、前記第１フィルタ３６１と第２フィルタ３６２は、結合された状態で前記フィルタ収容部材３８に脱着される。
【０１３５】
前記第３フィルタ３６３は、前記第２フィルタ３６２に連続して配置され、前記第２フィルタ３６２を通過した空気中の微細粉塵をフィルタリングするように構成される。前記第３フィルタ３６３は、１０μｍ以下の微細粉塵はもちろん、スモッグと煙、排気ガスなど粒子の大きさが非常に小さい２.５μｍ以下の超微細ホコリまでフィルタリングできるＨＥＰＡフィルタを用いることができる。
【０１３６】
前記第４フィルタ３６４は、前記第３フィルタ３６３に連続して配置され、料理中に不完全燃焼によって発生する一酸化炭素および二酸化窒素などがフィルタリングされる。前記第４フィルタ３６４は、複数のフィルタから構成されて、それぞれ二酸化炭素と二酸化窒素などを除去できるように構成されてもよく、１つのフィルタによってこれらの有害ガスがフィルタリングされるように構成されてもよい。
【０１３７】
そして、前記第３フィルタ３６３と第４フィルタ３６４も、第３フレーム３６３ａに形成される第２装着突起３６３ｃと第４フレーム３６４ａに形成される第２装着溝３６４ｃの結合によって一体で結合される。もちろん、前記第４フィルタ３６４が複数個構成される場合、これら同士が相互結合されてもよく、第３フィルタ３６３と結合されてもよい。結合された状態のフィルタは、前記フィルタ収容部材３８の内側に装着される。
【０１３８】
前記第５フィルタ３６５は、前記第４フィルタ３６４と連続して配置され、前記第４フィルタ３６４を通過した空気中の細菌を除去する除菌フィルタからなることができる。そして、第６フィルタ３６６は、前記第５フィルタ３６５と連続して配置され、前記第５フィルタ３６５を通過した空気中の悪臭の発生因子を除去して脱臭できるように構成される。
【０１３９】
前記第５フィルタ３６５と第６フィルタ３６６は１つのフィルタで構成され、必要に応じてその位置が交代配置されてもよい。また、前記第５フィルタ３６５の第５フレーム３６５ａには第３装着突起３６５ｃが形成され、第６フィルタ３６６の第６フレーム３６６ａには第３装着溝３６６ｃが形成されて、前記第５フィルタ３６５と第６フィルタ３６６が一体で結合されてもよい。
【０１４０】
もちろん、前記フィルタ３６１、３６２、３６３、３６４、３６５、３６６は、必要に応じて６個以上からなってもよく、１つのフィルタが複数の機能を有する場合、６個以下の個数で構成されてもよい。
【０１４１】
一方、前記フィルタモジュール３６を構成するそれぞれのフィルタは、それぞれ独立的に構成されてもよく、前述した実施例のように交替周期が類似するフィルタまたは隣り合うフィルタの順に結合されるように構成することができる。
【０１４２】
前記装着突起３６２ｃ、３６３ｃ、３６５ｃおよび装着溝３６１ｃ、３６４ｃ、３６６ｃは、相互嵌合または係止されるようにフック形状または対応する形状を有することができる。そして、前記装着溝３６１ｃ、３６４ｃ、３６６ｃおよび装着突起３６２ｃ、３６３ｃ、３６５ｃは、前記フレーム３６１ａ、３６２ａ、３６３ａ、３６４ａ、３６５ａ、３６６ａの周りに沿って複数個形成される。そして、前記装着溝３６１ｃ、３６４ｃ、３６６ｃおよび装着突起３６２ｃ、３６３ｃ、３６５ｃは、前記フレーム３６１ａ、３６２ａ、３６３ａ、３６４ａ、３６５ａ、３６６ａにおいて相互結合可能な多様な位置に配置される。
【０１４３】
そして、相互結合される前記装着突起３６２ｃ、３６３ｃ、３６５ｃと装着溝３６１ｃ、３６４ｃ、３６６ｃは、他の装着突起３６２ｃ、３６３ｃ、３６５ｃおよび装着溝３６１ｃ、３６４ｃ、３６６ｃとは結合されないように、その位置または形状が異なるように形成されてもよい。よって、フィルタ３６１、３６２、３６３、３６４、３６５、３６６間の誤った組立てを防止することができ、ペアとして結合する場合前記フィルタ３６１、３６２、３６３、３６４、３６５、３６６が順序に合うように配置されるようにする。よって、誤った組立てによって正常な空気浄化ができなくなる状況を防止することができる。
【０１４４】
一方、前記フレーム３６１ａ、３６２ａ、３６３ａ、３６４ａ、３６５ａ、３６６ａの前端と後端には、フレーム段差部３６７、３６８が形成される。前記フレーム段差部３６７、３６８は、前記フィルタ収容部材３８の前端と後端に形成されるフィルタ安着部３８３と対応する形状で形成される。
【０１４５】
このとき、前記フレーム３６１ａ、３６２ａ、３６３ａ、３６４ａ、３６５ａ、３６６ａの前端のフレーム段差部３６７と前記フレーム３６１ａ、３６２ａ、３６３ａ、３６４ａ、３６５ａ、３６６ａの後端のフレーム段差部３６８は、その高さまたは陥没深さを異なるように形成することで、前記フィルタモジュール３６が結合された状態で方向性を持って前記フィルタ収容部材３８に装着されるようにする。すなわち、前記フィルタモジュールの装着時の装着方向が一定であるようにして、作業者が前記フィルタモジュール３６を不正確に組立てることを防止できることになる。
【０１４６】
以下、上記のような構造を有する本発明の実施例に係る空気浄化装置の動作に関して説明することにする。
【０１４７】
図１２は前記空気浄化装置の制御信号の流れを示すブロック図であり、図１３は前記空気浄化装置の外気吸入および流動状態を示した断面図であり、図１４は前記空気浄化装置の浄化された空気の吐出状態を示した断面図である。
【０１４８】
図示されているように、前記空気浄化装置３０は、電源部３０１を介して電源が供給され、使用者の前記操作ボタン３０４の操作または前記ガスセンサ３０６によってキッチン空間の空気の汚染を感知時に動作が開始される。
【０１４９】
そして、前記ディスプレイ３０３では、前記空気浄化装置３０の動作状態または前記ガスセンサ３０６で感知されたキッチン空間内の空気状態を外部に表示することができる。前記空気浄化装置３０は、前記制御部３０７で動作信号を受信すると前記モータ３４１が駆動される。
【０１５０】
前記モータ３４１の駆動によって前記ファン３４３が回転し、前記ファン３４３の回転によって空気の流動が強制される。前記キッチン空間内の空気は、前記空気浄化装置３０の左右両側の前記吸入口３２４を介して前記空気浄化装置３０の内側に流入する。
【０１５１】
そして、前記吸入口３２４を介して前記ケース３１の内部に吸入された空気は、前記下部ケース３３の両側端にラウンド状に形成された前記サイド吸入ガイド３３７を介して前記フィルタアセンブリ３５に向かって移動することになる。
【０１５２】
前記吸入口３２４を介して吸入される空気は、前記フィルタモジュール３６を構成する多数のフィルタ３６１、３６２、３６３、３６４、３６５、３６６を順に通過することになる。すなわち、サイズが大きい異質物は前記第１フィルタ３６１でフィルタリングされ、キッチンの空気中に含まれたオイルミストは前記第２フィルタ３６２でフィルタリングされ、微細粉塵は前記第３フィルタ３６３でフィルタリングされ、料理中に発生する有害ガス、特に一酸化炭素と二酸化窒素などは前記第４フィルタ３６４によってフィルタリングされ、空気中の有害細菌は前記第５フィルタ３６５によってフィルタリングされ、空気中の悪臭の発生因子は前記第６フィルタ３６６によってフィルタリングされることになる。
【０１５３】
一方、前記フィルタモジュール３６を通過する吸入空気は、前記フィルタモジュール３６を構成する多数のフィルタ３６１、３６２、３６３、３６４、３６５、３６６を通過する過程で浄化され、特にキッチン空間で発生するオイルミストと、有害ガスそして悪臭の発生因子の除去が可能となる。
【０１５４】
そして、前記フィルタモジュール３６を通過した空気は、前記ファンガイド３４４の上面に形成されるガイド吸入口３４４ａを介して前記ファン３４３の中央に流動する。このとき、前記ファンガイド３４４の上面と前記上部ケース３２の上面は、少し離隔した状態で前記ガイド吸入口３４４ａを介した円滑な空気の流動を可能とする。
【０１５５】
前記ファンガイド３４４の内側に流入した空気は、前記ファン３４３の回転によって前記ファン３４３の円周方向に吐出され、円形に形成された前記ファンガイド３４４の内側面に沿って流動して、前記ガイド吐出口３４４ｂに向かうことになる。
【０１５６】
前記ガイド吐出口３４４ｂから吐出される空気は、前記ケース３１の内部に形成される前記吐出エアーガイド３３４または前記バリア３３５によって形成される流路に沿って前方に案内される。このとき、前記吐出エアーガイド３３４およびバリア３３５は、前記ファン３４３の回転方向に傾斜するように配置され、よって前記ファン３４３によって吐出される空気が円滑に流動するようにする。
【０１５７】
前記吐出エアーガイド３３４または前記バリア３３５によって流動する空気は、フロント吐出ガイド３３３に沿って上方に自然に流動し、前記傾斜面３２３に形成された吐出口３２５を介して前方および上方に向かって傾斜方向に吐出されることになる。
【０１５８】
前記モータ３４１の駆動によって前記両側方から傾斜方向に吸入されて前方から傾斜方向に吐出される構造を有することで、立体的な空気の吸入吐出が可能となる。また、ターボファン構造の前記ファン３４３が装着されてコンパクトな構造を維持しながらも、キッチン空間の吸入および吐出流量が増大し、効率的な空気の浄化が可能となる。
【０１５９】
前記モータ３４１は、前記ガスセンサ３０６によって感知されるキッチン空間内の空気の汚染度に応じて風量が調節される。そして、前記モータ３４１は、前記ガスセンサ３０６によってキッチン空間内の空気が設定レベル以下の汚染度になる時まで動作する。そして、必要に応じて前記モータ３４１は、設定された時間の間動作、または前記操作ボタン３０４の操作がなされる時まで動作するようにすることができる。
【０１６０】
また、前記空気浄化装置３０の動作状態またはキッチン空間の空気状態は、前記制御部３０７と連結された通信部３０８を介して使用者の携帯電話やパソコンまたはその他通信可能な家電機器または端末に送信され、使用者の遠隔操作によって前記空気浄化装置３０の運転が操作されるようにすることもできる。
【０１６１】
一方、前記空気浄化装置３０は、必要に応じて前記フィルタの交換または掃除が必要な場合もある。前記フィルタの交換または掃除するためには、前記フィルタアセンブリ３５を前記フィルタ収容部材３８から分離することになる。
【０１６２】
前記フィルタアセンブリ３５を分離するためには、前記ケース３１の外側に露出した引出操作部材３９の取っ手溝を掴んで前方に引くことになる。使用者の引出操作によって前記フィルタアセンブリ３５は前方に引き出され、前記フィルタアセンブリ３５は、前記フィルタ装着口３０２を介して前記ケース３１から完全に分離される。
【０１６３】
前記フィルタアセンブリ３５を分離した後には、前記フィルタモジュール３６を前記フィルタ収容部材３８から分離することになる。このとき、前記フィルタモジュール３６は、結合状態によっては一度に分離されてもよく、または作業が必要な一部のフィルタがモジュール状態で選択的に分離されてもよい。
【０１６４】
前記フィルタモジュール３６を分離した後には、交換または掃除が必要なフィルタをそれぞれ分離した後、必要な作業を実施し、新しいフィルタまたは掃除が完了されたフィルタに交換して再結合することになる。作業が完了して結合されたフィルタは、再び前記フィルタ収容部材３８に装着される。
【０１６５】
前記フィルタモジュール３６の装着が完了すると、使用者は前記フィルタアセンブリ３５を再び前記フィルタ装着口に挿入し、前記ケースの内側に押込むことになる。前記フィルタアセンブリ３５は、後端が前記支持面３３３ｃに接する時までスライディング挿入され、完全に挿入された状態では、前記引出操作部材３９が前記フィルタ装着口３０２に係止されて固定装着された状態を維持できることになる。
【０１６６】
そして、前記空気浄化装置３０は、前記冷蔵庫キャビネット１０から分離可能であり、前記空気浄化装置３０を使用しないときやサービスが必要な場合には分離することになる。
【０１６７】
そして、前記空気浄化装置３０は、前記電源部３０１が壁の電源(コンセント)に連結可能なプラグ構造を有するように構成され、このような場合には、前記空気浄化装置３０が前記冷蔵庫１と分離した状態で、独立的な動作が可能となる。
【０１６８】
一方、本発明による冷蔵庫および冷蔵庫用空気浄化装置は、前述した実施例以外にも多様な別の実施例が可能である。
【０１６９】
以下、本発明の別の実施例に係る冷蔵庫および冷蔵庫用空気浄化装置に関してより詳しく説明するようにする。本発明の別の実施例では、前述した実施例と同じ構造を有する構成に対しては、同じ図面番号を付し、その詳細な説明は省略することにする。
【０１７０】
図１５は本発明の別の実施例に係る空気浄化装置が冷蔵庫に装着された様子を示す部分正面図であり、図１６は前記空気浄化装置が装着された冷蔵庫の平面図である。
【０１７１】
図示されているように、本発明の別の実施例に係る冷蔵庫１は、貯蔵空間を形成するキャビネット１０と、前記キャビネット１０の前面に備えられて前記貯蔵空間を開閉するドア２０とを含んで構成される。
【０１７２】
前記ドア２０は、前記キャビネット１０の前面にヒンジ装置２３によって回転可能に装着される。そして、前記ドア２０の前面には、前記冷蔵庫１の動作状態を表示するためのディスプレイ２４が備えられ、前記冷蔵庫１の運転を操作するための操作ボタン２５が備えられてもよい。このとき、前記操作ボタン２５は、物理的なボタン構造やタッチセンサのような構造の他にもタッチ方式のディスプレイに含まれる構造を有することができる。
【０１７３】
前記ディスプレイ２４は、前記キャビネット１０の上面に装着される空気浄化装置４０の動作状態を表示することも可能である。そして、前記操作ボタン２５は、前記空気浄化装置４０の運転操作入力が可能となるように構成されてもよい。
【０１７４】
そして、前記キャビネット１０の上面には、前記冷蔵庫１の動作を制御するためのメインコントロール部１４が備えられてもよい。前記メインコントロール部１４は、前記空気浄化装置４０と電気的に連結されて前記空気浄化装置４０に電源を供給することができ、必要に応じて前記空気浄化装置４０の運転を制御することもできる。
【０１７５】
前記空気浄化装置４０は、前記キャビネット１０の上面に固定装着され、前記空気浄化装置４０が装着された状態で前記空気浄化装置４０の外観を形成するケース４１が前記ドア２０の上方に突出して外部に露出される。
【０１７６】
このとき、前記空気浄化装置４０の前面は外部に露出され、浄化された空気が吐出される吐出口４３２を離隔した状態でカバーする吐出口カバー４３３が前記ドア２０の上方に露出するように配置される。このとき、前記吐出口カバー４３３の両側には、フィルタアセンブリ４５の前面が露出される。前記フィルタアセンブリ４５は、使用者の容易なフィルタモジュール３６の交換のために前記ケース４１に形成されたフィルタ装着口４３８から引出・引入される。
【０１７７】
前記空気浄化装置４０は、前記キャビネット１０の上面に固定装着される。このとき、前記空気浄化装置４０の大きさは、前記キャビネット１０の左右幅と同じ左右幅を有するように形成され、前記メインコントロール部１４の前端から前記ドア２０の前端までの距離と対応する前後幅を有するように形成される。すなわち、前記空気浄化装置４０が装着された状態では、前記冷蔵庫１の上端で一体感ある形態を有することができる。
【０１７８】
一方、前記空気浄化装置４０の吸入口４３１は、前記ケース４１の両側面に形成され、キッチン空間の空気が両側方から吸入されるようになる。そして、内部に備えられたフィルタアセンブリ４５とファンモータアセンブリ４４を順に通過した後、エアーガイド４３５を介して前方の吐出口４３２から吐出される構造を有する。
【０１７９】
図１７は前記空気浄化装置の分解斜視図であり、図１８は前記空気浄化装置の空気の流動状態を示した断面図である。
【０１８０】
図示されているように、本発明の別の実施例に係る空気浄化装置４０は、上部ケース４２と下部ケース４３が結合されたケース４１によって外形が形成される。前記上部ケース４２は、前記下部ケース４３の開口された上面を形成し、前記ファンモータアセンブリ４４と対応する位置には上方に突出した吸入案内部４２１が形成され、前記吸入案内部４２１の下方に前記ファンモータアセンブリ４４が配置される。
【０１８１】
前記下部ケース４３は、前記ファンモータアセンブリ４４と前記フィルタアセンブリ４５が収容される空間を形成する。前記下部ケース４３の開口された上面は、前記上部ケース４２によって遮蔽される。
【０１８２】
そして、前記下部ケース４３の左右両側には吸入口４３１が形成される。前記吸入口４３１はグリル形状に形成され、前記下部ケース４３の側面の殆どの領域に形成される。
【０１８３】
前記下部ケース４３の前面には吐出口４３２が形成される。前記吐出口４３２は、前記吐出口カバー４３３によって遮られ、前記吐出口カバー４３３は、前記吐出口４３２と離隔するように装着される。よって、前記吐出口４３２と前記吐出口カバー４３３の間には所定の間隔が形成され、前記吐出口４３２を介して吐出される空気は、前記吐出口４３２と前記吐出口カバー４３３の間の空間から吐出される。
【０１８４】
このために前記吐出口カバー４３３の左右両側端には、前記下部ケース４３を向かって後方に延長されるカバー装着突起４３３ａが形成され、前記吐出口４３２の左右両側方には、前記カバー装着突起４３３ａが挿入固定されるカバー溝４３４が形成される。
【０１８５】
そして、前記吐出口カバー４３３の下端には、前記吐出口カバー４３３の下端と前記吐出口４３２の下端の間を遮蔽する遮蔽部４３３ｂがさらに形成される。前記遮蔽部４３３ｂによって前記吐出口４３２の下端と前記吐出口カバー４３３の下端の間で浄化された空気が吐出されることを防止することになる。
【０１８６】
前記吐出口４３２の下端と前記吐出口カバー４３３の下端の間で浄化された空気が吐出される場合、使用者の顔に直接的に空気が吐出されるので、使用者の不満を招くようになる。よって前記遮蔽部４３３ｂによって下方への空気吐出を防止し、上方と両側方向への空気吐出を可能とする。
【０１８７】
一方、前記吐出口４３２の開口された左右両側端には、前記ファンモータアセンブリ４４のガイド吐出口４４４ｂを向かって延長されるエアーガイド４３５が形成される。前記エアーガイド４３５は、前記吐出口４３２の端部と前記ガイド吐出口４４４ｂの端部を連結し、前記ケース４１の内部空間を区画することになる。よって前記ガイド吐出口４４４ｂから吐出される空気は、前記吐出口４３２側に効果的に案内されて吐出される。
【０１８８】
前記下部ケース４３には、ファンモータアセンブリ４４が装着されるファンモータ装着部４３６が陥没形成される。前記ファンモータ装着部４３６は、前記エアーガイド４３５と接するように形成される。そして前記ファンモータ装着部４３６の位置と対応する前記下部ケース４３の後面には、前記ファンモータアセンブリ４４の一部が位置される陥没部４３７がさらに形成される。前記陥没部４３７に前記ファンモータアセンブリ４４の一部が接するように収容され、よって前記陥没部４３７は、前記ファンモータアセンブリ４４の外周面の形状と対応するように陥没する。
【０１８９】
前記ファンモータアセンブリ４４は、前記ファンモータ装着部４３６の中央に配置されるモータ４４１と、前記モータ４４１が収容されるモータハウジング４４２を含む、そして、前記モータ４４１は、前記モータハウジング４４２の内側に装着されるものの、前記モータ４４１の回転軸４４１ａが前記モータハウジング４４２を貫通して突出する。そして、突出した回転軸４４１ａに前記ファン４４３が装着される。前記ファン４４３は、大きさが異なるだけで、前述した実施例と同じターボファンを用いることができる。前記ファン４４３は、軸方向に空気を吸入して円周方向に吐出する構造を有する。
【０１９０】
前記ファン４４３は、前記ファンガイド４４４に収容される。前記ファンガイド４４４は、前記ファン４４３を収容できるように下面が開口される形状に形成され、前記ファンガイド４４４の下面は、前記ファンモータ装着部４３６と対応する大きさで形成されて、前記ファンモータ装着部４３６に固定装着される。
【０１９１】
そして、前記ファンガイド４４４の上面は、前記吸入案内部４２１と離隔し、前記吸入案内部４２１と対応する位置にはガイド吸入口４４４ａが形成される。前記ガイド吸入口４４４ａはグリルのような形状に形成され、前記フィルタアセンブリ４５を通過した空気が流入して前記ファン４４３に向かうように案内する。
【０１９２】
そして、前記ファンガイド４４４の周面は下方に延長され、少なくとも一部は開口されて前記ガイド吐出口４４４ｂを形成することになる。前記ガイド吐出口４４４ｂの開口された両端は、前記エアーガイド４３５と接することになり、前記ファン４４３によって吐出される空気が吐出されるように形成される。
【０１９３】
一方、前記吐出口４３２の両側方にはフィルタ装着口４３８が形成される。前記フィルタ装着口４３８は、前記フィルタアセンブリ４５が引出・引入されるものとして、前記フィルタアセンブリ４５の前面によって遮蔽されるように形成される。よって、前記フィルタアセンブリ４５が前記ケース４１の内側に装着された状態では、前記フィルタ装着口４３８は遮蔽される。
【０１９４】
前記フィルタアセンブリ４５は、多数のフィルタがモジュールの形態に結合されるフィルタモジュール３６と、前記フィルタモジュール３６が装着されるフィルタケース３７から構成される。前記フィルタケース３７の前面は、前記フィルタ装着口４３８から露出され、よって前記フィルタケース３７の前面を掴んで前方に引くと、前記フィルタアセンブリ４５全体が引出されることになる。
【０１９５】
そして、前記フィルタアセンブリ４５が前記ケース４１の内側に完全に引入されて装着された状態では、前記フィルタアセンブリ４５は前記ケース４１の内側を区画することになる。前記フィルタアセンブリ４５は、前記吸入口４３１と前記ファンモータアセンブリ４４の間の空間を区画することになり、前記吸入口４３１から吸入された空気が前記ファンモータアセンブリ４４に移動する過程で、全部前記フィルタアセンブリ４５を通過するように構成される。
【０１９６】
前記フィルタモジュール３６は、前記フィルタケース３７に脱着可能に提供され、多数のフィルタの組合によって構成される。前記フィルタモジュール３６の細部構成は、前述した実施例のフィルタモジュール３６と同一であるので、その詳細な説明を省略することにする。
【０１９７】
前記フィルタモジュール３６によってキッチン空間内のオイルミストと、有害ガスおよび悪臭の誘発因子をフィルタリングすることができ、浄化された状態の空気が前記ファンモータアセンブリ４４を通って前記吐出口４３２を介して吐出されることになる。
【０１９８】
一方、前記下部ケース４３の内側には、前記フィルタアセンブリ４５の引出・引入時に前記フィルタアセンブリ４５の移動を案内するためのフィルタガイド４３９が形成される。前記フィルタガイド４３９は、前記フィルタ装着口４３８の後方に備えられ、多数個のリーブが一定間隔に配置されるように構成される。
【０１９９】
そして、前記下部ケース４３には磁石４５が備えられ、前記磁石４５によって前記空気浄化装置４０が前記冷蔵庫１のキャビネット１０の上面に付着して固定される。
【０２００】
そして、前記ケース４１の内部または外部には、前述した実施例と同じガスセンサ(図１２の３０６)が備えられ、前記ガスセンサ３０６によって前記空気浄化装置４０の運転が調節される。
【０２０１】
本発明において提案する実施形態に係る冷蔵庫と冷蔵庫の制御方法は次の効果を有する。
【０２０２】
本発明の実施例による冷蔵庫および冷蔵庫用空気浄化装置によれば、キッチン空間の空気を強制的に吸入して浄化することになり、このとき調理時に発生する有害ガス、すなわち一酸化炭素と二酸化窒素がフィルタモジュールを通過する過程で除去され、キッチン空間の空気を非常に効果的に浄化することができる。
【０２０３】
特に、前記フィルタモジュールには、調理時に発生するオイルミストと微細粉塵をフィルタリングできるフィルタがさらに備えられ、よって一般的な環境の空気を浄化する浄化装置では期待できない優れるキッチンの空気浄化性能を期待することができる。
【０２０４】
そして、前記ガスセンサによって、前記有害ガスを感知するとき自動的に前記空気浄化装置の運転が開始されるようにし、設定されたレベルの空気状態となる時まで自動運転されることになる。よって別途の操作なしにもキッチンの空気を常に快適な状態に維持することができる。
【０２０５】
特に、前記ガスセンサによって感知される有害ガスの程度に応じて風量を調節することで、より効果的なキッチンの空気浄化が可能となるメリットがある。
【０２０６】
そして、前記フィルタモジュールは、前記フィルタアセンブリ状態で前記ケースに引出・引入可能に装着される。よって前記フィルタアセンブリを容易に着脱して前記フィルタモジュールを取出したり装着することができるので、前記フィルタモジュールの交替および掃除のようなサービスが容易となるメリットがある。
【０２０７】
特に、前記フィルタモジュールは、引出・引入されるフィルタケースに脱着可能に装着されるので、フィルタのサービスがより容易となる。
【０２０８】
また、前記フィルタモジュールは、類似機能を有するフィルタまたはサービス周期が類似するフィルタを相互結合して、前記フィルタのサービスおよび管理をより容易となるようにすることができる。
【０２０９】
そして、空気浄化装置は、大きさに比べて優れる風量を発揮できるターボファンを用いることで、全体的にコンパクトな構造を有することができるようになる。このようなコンパクトな構造によって、前記ドアとメインコントロール部およびヒンジ装置との間の空間に配置されるようにして、空間の活用性が優れるメリットがある。
【０２１０】
また、前記空気浄化装置が前記ドアの上端よりも低い高さを有するようにすることで、前記ドアが閉じられた状態では外部に露出しないようにして、冷蔵庫の外観デザインを阻害しなくなる。
【０２１１】
そして、ドアの開放時に空気浄化装置の前面にディスプレイと操作ボタンが露出するので、使用者がより簡単に動作状態を確認して操作することが可能となる。
【０２１２】
そして、前記空気浄化装置は、上方から下方に前記キャビネットの上面に装着される時、前記ヒンジ装置の両側と結合されて固定装着され、別途の結合構造を提供しなくても前記ヒンジ装置とメインコントロール部に接して安定した装着構造を有することができる。
【０２１３】
また、前記ケースの底面に磁石が備えられる場合、スチール素材のキャビネットと磁力によって密着する構造を有することで、別途の結合構造を提供しなくても安定した装着状態を維持することができる。
【０２１４】
そして、前記空気浄化装置は、前記冷蔵庫と選択的に結合される構造を有し、別途の電源と連結可能な構造を有することになるので、前記冷蔵庫と分離した状態でもコンセントに連結されて電源が供給され、独立的な活用が可能なメリットがある。
【０２１５】
そして、前記空気浄化装置は、メインコントロール部によって運転が制御され、空気浄化装置の動作状態を前記ドア上のディスプレイに出力することができ、前記ドア上の操作ボタンを利用して前記空気浄化装置の運転を操作することができるので、使用便宜性をより向上させることができる。
【０２１６】
一方、本発明の実施例に係る冷蔵庫は、貯蔵空間を形成するキャビネットと、前記キャビネットの前面に備えられ、前記貯蔵空間を開閉する一対のドアと、前記キャビネットの上面両側に備えられ、前記一対のドアそれぞれが回動可能に結合される一対のヒンジ装置と、前記キャビネットの上面に備えられ、冷蔵庫の運転を制御するメインコントロール部と、前記ドアの後端と前記メインコントロール部の前端および前記一対のヒンジ装置とそれぞれ接するように装着され、キッチン空間の空気を吸入して有害ガスをフィルタリングした後排出する空気浄化装置とを含むことができる。
【０２１７】
前記空気浄化装置は、前記キャビネットに装着された状態で、前記冷蔵庫ドアの上端よりも低い高さを有するように形成することができる。
【０２１８】
前記空気浄化装置は、前記ドアに向かう前面に吐出口が形成され、両側面に吸入口が形成されるケースと、前記ケースの内部に備えられ、空気の流動を強制するファンモータアセンブリと、前記吸入口と前記ファンモータアセンブリとの間を区画するように前記ケースの内部に装着され、吸入される空気を浄化するフィルタアセンブリと、前記ケースの一側に備えられ、前記キッチン空間の有害ガスを感知するガスセンサとを含むことができる。
【０２１９】
前記ファンモータアセンブリは、モータと、前記モータによって回転し、前記モータを収容するターボファンと、前記ターボファンを収容し、空気が前記ターボファンの軸方向に吸入されて円周方向に吐出されるように案内するファンガイドとを含むことができる。
【０２２０】
前記ケースの上面には、前記ファンガイドと対応する位置から上方に突出した吸入案内部が形成され、前記吸入案内部と前記ファンガイドは離隔して、前記ファンガイド側への空気流入を案内することができる。
【０２２１】
前記ケースは、前記ファンモータアセンブリおよび前記フィルタアセンブリの収容空間を形成する下部ケースと、前記下部ケースの開口された上面を遮蔽する上部ケースとを含むことができる。
【０２２２】
前記上部ケースの端に沿って傾斜面が形成され、前記吸入口と吐出口は前記傾斜面の上に形成される。
【０２２３】
前記下部ケースの内部両側には、底面と前記吸入口の下端を連結し、所定の曲率を有するように形成されて吸入空気を案内するサイド吸入ガイドが形成され、前記下部ケースの内部前面には、底面と前記吐出口の下端を連結し、所定の曲率を有するように形成されて吐出空気を前記吐出口に案内するフロント吐出ガイドが形成される。
【０２２４】
前記空気浄化装置は、前記メインコントロール部と連結されて電源が供給され、運転が制御される。
【０２２５】
前記ドアには、前記空気浄化装置の運転状態を表示するディスプレイと、前記空気浄化装置の運転を操作するために使用者が操作する操作ボタンが備えられる。
【０２２６】
前記一対のヒンジ装置の対向する内側面と、これに対応する前記ケースの両側面には、相互対応する形状に突出および陥没して結合される装着突起と装着溝が形成されてもよい。前記ケースの底面には、スチール素材の前記キャビネットの上面と磁力によって付着する磁石が備えられてもよい。
なお、本発明の実施例ではケースが冷蔵庫のキャビネットの上面に設置されていたが、これに限ったものではなく、キャビネットの横面または下面に装着されていてもよい。更にケースはキャビネットだけでなく、冷蔵室ドアまたは冷凍室ドアに装着されていてもよいし、冷蔵庫の近傍に設置されていてもよい。すなわち冷蔵庫が設置されたキッチン空間における空気浄化のために、空気浄化装置は、冷蔵庫の外面に設置されるかまたは当該冷蔵庫が設置されたキッチン空間に設置されてもよい。
また、前記制御部は、前記ガスセンサの感知結果に応じて前記ファンモータアセンブリの運転を制御してもよい。感知結果には、例えば有害ガスの感知量、空気の汚染程度、有害ガスの感知の有無など、ガスセンサの感知で得られた様々な情報が含まれる。具体的な処理の一例として前記制御部は、前記ガスセンサによって感知された有害ガスの感知量に応じて、前記ファンモータアセンブリの運転を制御してもよい。その一例として、前記制御部は、有害ガスが設定基準以上感知される場合、前記ファンモータアセンブリの運転を開始し、運転開始後前記有害ガスが設定基準以下感知されると、前記ファンモータアセンブリを停止させてもよい。他の例として、前記制御部は、前記有害ガスの感知量に応じて風量が可変するように、前記ファンモータアセンブリを制御してもよい。
【図１】
0006417434.tif 000002
【図２】
0006417434.tif 000003
【図３】
0006417434.tif 000004
【図４】
0006417434.tif 000005
【図５】
0006417434.tif 000006
【図６】
0006417434.tif 000007
【図７】
0006417434.tif 000008
【図８】
0006417434.tif 000009
【図９】
0006417434.tif 000010
【図１０】
0006417434.tif 000011
【図１１】
0006417434.tif 000012
【図１２】
0006417434.tif 000013
【図１３】
0006417434.tif 000014
【図１４】
0006417434.tif 000015
【図１５】
0006417434.tif 000016
【図１６】
0006417434.tif 000017
【図１７】
0006417434.tif 000018
【図１８】
0006417434.tif 000019